【事件の表示】
　平成　９年特許願第１３３２２１号「走査線変換装置および方法」拒絶査定不服審判事件〔平成１０年１２月　８日出願公開、特開平１０−３２７３９２〕について、次のとおり審決する。
【結　論】
　本件審判の請求は、成り立たない。
【理　由】
　
第１　経緯
１　手続
　本願は、平成９年５月２３日の出願であって、平成１７年８月１８日付けで拒絶査定された。
　本件は、本願についてされた上記拒絶査定を不服とする平成１７年９月２２日の審判請求であり、平成１７年１０月２４日付けで手続補正書が提出された。
　
２　査定
　原査定の理由は、概略、以下のとおりである。
　　　　　　　　　　　　　　　理　由
　本願の請求項１ないし５に係る発明は、下記刊行物１及び刊行物２に記載された発明および周知技術に基づいて当業者が容易に発明をすることができたものであるから、特許法第２９条第２項の規定により、特許を受けることができない。
　　　　　　　　　　　　　　　　記
　引用文献１：特開平７−１４７６７０号公報
　引用文献２：特開平５−６４１６１号公報
　周知例：特開平５−３２８１８５号公報
　
　なお、平成１７年３月４日付けの意見書には「なお、拒絶理由通知書において、引用文献２は特開平５−５４１１６１号公報と記載されていますが、本意見書においては、審査官の指示のもと、特開平５−６４１６１号公報として記載しています。」とあり、審判請求書にも「（１）原査定の拒絶理由は、・・・（中略）・・・特開平５−６４１６１号公報（以下、引用例２という）に記載された発明に基づいて・・・（中略）・・・容易に発明をすることができたものである・・・（後略）」とあることからして、引用文献２として提示された特開平５−５４１６１号公報は誤りであって、正しくは特開平５−６４１６１号公報であり、この点は請求人も認めているところである。
　
第２　補正の却下の決定
　平成１７年１０月２４日付けの手続補正（以下「本件補正」という）について、以下のとおり決定する。
　
［結論］
　平成１７年１０月２４日付けの手続補正を却下する。
　
［理由］
１　本件補正の内容
　本件補正は、本件補正前、平成１７年３月４日付け手続補正書により補正された特許請求の範囲の請求項１ないし５についてする補正であり、
（補正前）
「【請求項１】 入力された画素データから、予測対象である注目画素の周辺の画素データを抽出する抽出手段と、
　前記抽出手段により抽出された前記周辺の画素データに基づいてクラス分類を行うクラス分類手段と、
  画素データの複数の補間位相の予測係数を、前記クラス分類におけるクラス毎に記憶する記憶手段と、
　前記抽出手段により抽出された前記周辺の画素データと、前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。
　【請求項２】　前記記憶手段から読み出す前記予測係数の前記補間位相を指定する指定手段を
　さらに備えることを特徴とする請求項１に記載の走査線変換装置。
　【請求項３】　前記記憶手段から読み出された前記予測係数から、前記補間位相に対応する予測係数を推定する推定手段を
　さらに備えることを特徴とする請求項１に記載の走査線変換装置。
　【請求項４】　前記予測係数は、あらゆる画像パターンからなる実画像を用い、最小自乗法により求められている
　ことを特徴とする請求項１に記載の走査線変換装置。
　【請求項５】   入力された画素データから、予測対象である注目画素の周辺の画素データを抽出する抽出ステップと、
　前記抽出ステップの処理により抽出された前記周辺の画素データに基づいてクラス分類を行うクラス分類ステップと、
　前記抽出ステップの処理により抽出された前記周辺の画素データと、画素データの複数の補間位相の予測係数が、前記クラス分類におけるクラス毎に記憶されるメモリからの予測係数に基づいて、前記注目画素の予測画素データを演算する演算ステップと、
  前記演算ステップの処理により演算された予測画素データと、入力された前記画素データとを合成する合成ステップと
　を含むことを特徴とする走査線変換方法。」
　の記載を、
（補正後）
「【請求項１】 入力された画素データから、垂直方向の予測対象である注目画素の周辺の画素データを抽出する抽出手段と、
　前記抽出手段により抽出された前記周辺の画素データに基づいてクラス分類を行うクラス分類手段と、
  垂直方向の前記画素データ間の複数の補間位相毎の予測係数を、前記クラス分類におけるクラス毎に記憶する記憶手段と、
　前記記憶手段から読み出す前記予測係数の前記補間位相を指定する指定手段と、
　前記抽出手段により抽出された前記周辺の画素データと、前記指定手段により指定された前記補間位相と前記クラスに対応する前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。
　【請求項２】　前記記憶手段から読み出された前記予測係数から、前記補間位相に対応する予測係数を推定する推定手段を
　さらに備えることを特徴とする請求項１に記載の走査線変換装置。
　【請求項３】　前記予測係数は、あらゆる画像パターンからなる実画像を用い、最小自乗法により求められている
　ことを特徴とする請求項１に記載の走査線変換装置。
　【請求項４】   入力された画素データから、垂直方向の予測対象である注目画素の周辺の画素データを抽出する抽出ステップと、
　前記抽出ステップの処理により抽出された前記周辺の画素データに基づいてクラス分類を行うクラス分類ステップと、
　垂直方向の前記画素データ間の複数の補間位相毎の予測係数が、前記クラス分類におけるクラス毎に記憶されるメモリから読み出す前記予測係数の前記補間位相を指定する指定ステップと、
　前記抽出ステップの処理により抽出された前記周辺の画素データと、前記指定ステップの処理により指定された前記補間位相と前記クラスに対応する前記メモリの予測係数に基づいて、前記注目画素の予測画素データを演算する演算ステップと、
  前記演算ステップの処理により演算された予測画素データと、入力された前記画素データとを合成する合成ステップと
　を含むことを特徴とする走査線変換方法。」
　と補正することを含むものである。
　
２　本件補正の適合性
（１）補正の範囲（第１７条の２第３項）
　本件補正は、願書に最初に添付した明細書の段落【００１７】、【００１８】、【００３０】及び図２の記載に基づくものであるから、願書に最初に添付した明細書又は図面に記載した事項の範囲内においてする補正である。
　
（２）補正の目的（第１７条の２第４項第１号〜第４号）
　本件補正は、
　旧請求項１、５における「予測対象」及び「複数の補間位相」の方向を「垂直方向」と限定し、
　旧請求項１、５における「画素データ」と「複数の補間位相」の関係を「前記画素データ間の複数の補間位相」と限定し、
　旧請求項１、５における「補間位相」と「予測係数」の関係を「補間位相毎の予測係数」と限定し、
　旧請求項５における「走査線変換方法」が「メモリから読み出す前記予測係数の前記補間位相を指定する指定ステップ」を含むものと限定し、
　旧請求項１、５における「演算手段（演算ステップ）」が基づくとする「予測係数」を「前記指定手段（前記指定ステップの処理）により指定された前記補間位相と前記クラスに対応する」ものと限定した上で、
　旧請求項１を削除し、旧請求項１を引用する旧請求項２ないし４を新請求項１ないし３にそれぞれ繰り上げるとともに、旧請求項５を新請求項４に繰り上げたものといえる。
　そして、補正の前後において産業上の利用分野及び解決しようとする課題は同一であるから、本件補正は、請求項の削除及び特許請求の範囲の減縮に該当する。
　
（３）独立特許要件（第１７条の２第５項）
　本件補正は、特許請求の範囲の減縮を目的とするものである。そこで検討をする。
ア　補正後の本願発明
　本件補正後の請求項１に記載される発明（以下「本件補正発明」という）は、以下のとおりのものである。
「入力された画素データから、垂直方向の予測対象である注目画素の周辺の画素データを抽出する抽出手段と、
　前記抽出手段により抽出された前記周辺の画素データに基づいてクラス分類を行うクラス分類手段と、
  垂直方向の前記画素データ間の複数の補間位相毎の予測係数を、前記クラス分類におけるクラス毎に記憶する記憶手段と、
　前記記憶手段から読み出す前記予測係数の前記補間位相を指定する指定手段と、
　前記抽出手段により抽出された前記周辺の画素データと、前記指定手段により指定された前記補間位相と前記クラスに対応する前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。」
　
イ　刊行物
（ア）刊行物１の記載
　原査定の拒絶の理由に引用された上記刊行物１には、図面と共に以下の事項が記載されている。
ａ「【産業上の利用分野】この発明は、例えば飛び越し走査において抜けている水平走査線を補間する走査線補間装置に適用することができる画像データの補間装置に関する。」（段落【０００１】）
　
ｂ「以下、この発明を走査線補間装置に対して適用した一実施例について説明する。図１において、１は、飛び越し走査のディジタルビデオ信号の入力端子である。具体的には、放送などによる伝送、ＶＴＲ等からの再生信号が入力端子１に供給される。」（段落【００１０】）
　
ｃ「補間演算回路３には、後述のように予め学習により獲得された予測係数が格納されているメモリ４ａ、４ｂが接続されている。この予測係数は、飛び越された水平走査線上の補間値を正確に推定するための係数である。」（段落【００１１】）
　
ｄ「補間の対象である、注目画素の近傍の複数画素のレベル分布のパターン、すなわち、クラスがクラスコード発生回路６ａ、６ｂによって決定される。このクラスを指示するクラスコードが形成される。」（段落【００１３】）
　
ｅ「クラスコードがメモリ４ａ、４ｂにそれぞれアドレスとして供給され、そのクラスと対応する予測係数がメモリ４ａ、４ｂからそれぞれ読出される。メモリ４ａ、４ｂは、別個のメモリに限らず、一つのメモリのメモリ領域を分割し、動き／静止の判定結果によって、メモリ領域を選択する構成としても良い。予測係数が補間演算回路３に供給され、注目画素の補間値が形成される。補間演算回路３から出力端子７に飛び越された走査線上の画素の補間値が出力される。存在している走査線のデータ（入力データ）と補間走査線のデータとは、図示しないがフレームメモリによって合成することができる。」（段落【００１４】）
　
ｆ「現フィールドの走査線ＬｎとＬn+2 の間の存在しない走査線Ｌn+1 上の画素の値ｙを生成する場合、図示されている複数の画素の値を使用してレベル分布と対応するクラス分類および補間演算がなされる。」（段落【００１５】）
　
ｇ「一例として、現フィールド内の補間走査線上に位置し、補間画素の上下にそれぞれ位置する二つの画素の値ｘ2、ｘ5と、画素ｘ2の両側の画素の値ｘ1、ｘ3と、画素ｘ5の両側の画素の値ｘ4、ｘ6と、前フィールド内の走査線Ｌn+1上に位置し、注目画素と同一位置の画素の値ｘ8と、その両側の画素の値ｘ7、ｘ9とが使用される。注目画素の補間値ｙは、予測係数をｗ1〜ｗ9で表すと、補間演算回路３によって、下記の線形１次結合によって生成される。」（段落【００１６】）
　
ｈ「ｙ＝ｗ1ｘ1＋ｗ2ｘ2＋ｗ3ｘ3＋ｗ4ｘ4＋ｗ5ｘ5＋ｗ6ｘ6＋ｗ7ｘ7＋ｗ8ｘ8＋ｗ9ｘ9　　　　（１）」（段落【００１７】）
　
ｉ「このような補間処理は、動き検出回路５によって判定された結果に応答して、動き画素および静止画素のそれぞれについてなされる。また、クラスコード発生回路６ａ、６ｂにおいて、レベル分布のパターンは、例えば補間演算に使用されるものと同一の９画素を参照して検出される。」（段落【００１８】）
　
ｊ「この発明は、走査線補間に限らず、サブサンプリングにより間引かれた画素の値を補間する等、存在しない画素の値を補間する場合に対して適用することができる。」（段落【００３９】）
　
（イ）刊行物１発明
ａ　入力端子１
　入力端子１には、放送などによる伝送、ＶＴＲ等からの再生信号である飛び越し走査のディジタルビデオ信号が供給される（上記イ（ア）ｂ）。
　
ｂ　クラスコード発生回路６ａ、６ｂ
　クラスコード発生回路６ａ、６ｂは、補間対象である注目画素の近傍の複数画素のレベル分布のパターン、すなわち、クラスを決定する（上記イ（ア）ｄ）。
　レベル分布のパターンは、補間演算に使用されるものと同一の９画素を参照して決定される（上記イ（ア）ｆ、ｉ）ところ、補間演算に使用されるのは、注目画素の上下及びそれらの両側に位置する画素の値ｘ1〜ｘ6と、前フィールド内の注目画素と同一位置及びその両側の画素の値ｘ7〜ｘ9であり（上記イ（ア）ｇ）、これらはいずれも、注目画素の近傍の、入力端子１に供給されたディジタルビデオ信号上の画素であることが明らかである（上記イ（ア）ａ、図１）。
　補間対象である注目画素は、飛び越された走査線上のものである（上記イ（ア）ｃ、ｅ）。
　よって、クラスコード発生回路６ａ、６ｂは、飛び越された走査線上の補間対象である注目画素の近傍の、入力端子１に供給されたディジタルビデオ信号上の９画素の値ｘ1〜ｘ9を参照してクラスを決定するものといえる。
　
ｃ　メモリ４ａ、４ｂ
　メモリ４ａ、４ｂには、予め学習により獲得された予測係数が格納されている（上記イ（ア）ｃ）。
　そして、メモリ４ａ、４ｂにはクラスコードがアドレスとして供給され、そのクラスと対応する予測係数がメモリ４ａ、４ｂから読み出される（上記イ（ア）ｅ）。ここで、クラスコードは、クラスを指示するものである（上記イ（ア）ｄ）。
　よって、メモリ４ａ、４ｂは、予め学習により獲得された予測係数をクラス毎に格納するものであることが明らかである。
　
ｄ　補間演算回路３
　補間演算回路３は、注目画素の近傍の９画素の値ｘ1〜ｘ9を使用し、クラスに対応するメモリ４ａ、４ｂに格納される予測係数ｗ1〜ｗ9の線形１次結合によって、飛び越された走査線上の補間対象である注目画素（上記イ（ア）ｃ、ｅ）の補間値ｙを以下のように生成する（上記イ（ア）ｇ、ｈ）。
　ｙ＝ｗ1ｘ1＋ｗ2ｘ2＋ｗ3ｘ3＋ｗ4ｘ4＋ｗ5ｘ5＋ｗ6ｘ6　　
　　＋ｗ7ｘ7＋ｗ8ｘ8＋ｗ9ｘ9　
　
ｅ　入力データと補間走査線のデータとの合成
　存在している走査線のデータ（入力データ）と補間走査線のデータは、フレームメモリによって合成される（上記イ（ア）ｅ）。ここで、「存在している走査線のデータ（入力データ）」が、入力端子１に供給されたディジタルビデオ信号のことであり、「補間走査線のデータ」が、補間演算回路３により生成された補間値であることは明らかである。
　よって、フレームメモリは、補間演算回路３により生成された補間値と、入力端子１に供給されたディジタルビデオ信号とを合成するものといえる。
　
ｆ　まとめ
　以上のイ（イ）ａ〜ｅに加え、上記イ（ア）ａ〜ｊの記載によれば、刊行物１記載の発明(以下「刊行物１発明」という)として、以下のとおりのものを認定することができる。
「放送などによる伝送、ＶＴＲ等からの再生信号である飛び越し走査のディジタルビデオ信号を供給する入力端子１と、
　飛び越された走査線上の補間対象である注目画素の近傍の、入力端子１に供給されたディジタルビデオ信号上の９画素の値ｘ1〜ｘ9を参照してクラスを決定するクラスコード発生回路６ａ、６ｂと、
　予め学習により獲得された予測係数をクラス毎に格納するメモリ４ａ、４ｂと、
　注目画素の近傍の９画素の値ｘ1〜ｘ9を使用し、クラスに対応するメモリ４ａ、４ｂに格納される予測係数ｗ1〜ｗ9の線形一次結合によって、飛び越された走査線上の補間対象である注目画素の補間値ｙを生成する補間演算回路３と、
　補間演算回路３により生成された補間値と、入力端子１に供給されたディジタルビデオ信号とを合成するフレームメモリと、
　を備える走査線補間装置（上記イ（ア）ａ、ｂ）。」
　
ウ　対比
　本件補正発明と刊行物１発明を対比する。
　
（ア）「抽出手段」
　刊行物１発明では、「クラスコード発生回路６ａ、６ｂ」が、「入力端子１に供給されたディジタルビデオ信号上の、飛び越された走査線上の補間対象である注目画素の近傍の９画素の値ｘ1〜ｘ9を参照してクラスを決定する」としているところ、これら９画素の値ｘ1〜ｘ9を参照するには、「入力端子１に供給されたディジタルビデオ信号から、飛び越された走査線上の補間対象である注目画素の近傍の９画素の値ｘ1〜ｘ9を抽出する」何らかの手段が必要であることは当業者に自明である。
　そして、そこでいう「入力端子１に供給されたディジタルビデオ信号」、「飛び越された走査線上の補間対象である注目画素の近傍の９画素の値ｘ1〜ｘ9」は、それぞれ、本件補正発明でいう「入力された画素データ」、「垂直方向の予測対象である注目画素の周辺の画素データ」に相当することが明らかである。
　よって、刊行物１発明には、本件補正発明でいう「入力された画素データから、垂直方向の予測対象である注目画素の周辺の画素データを抽出する抽出手段」の存在が認められる。
　
（イ）「クラス分類手段」
　刊行物１発明の「クラスコード発生回路６ａ、６ｂ」は、「飛び越された走査線上の注目画素の近傍の、入力端子１に供給されたディジタルビデオ信号上の９画素の値ｘ1〜ｘ9を参照してクラスを決定する」ものであるところ、これは「入力された画素データ上の、垂直方向の予測対象である注目画素の周辺の画素データを参照してクラスを決定する」もの（上記ウ（ア））といえる。
　ここで、参照する「入力された画素データ上の、垂直方向の予測対象である注目画素の周辺の画素データ」は「抽出手段」により抽出されるもの（上記ウ（ア））である。
　また、刊行物１発明の「クラスを決定する」は、本件補正発明でいう「クラス分類を行う」に相当する。
　よって、刊行物１発明の「クラスコード発生回路６ａ、６ｂ」は、本件補正発明でいう「前記抽出手段により抽出された前記周辺の画素データに基づいてクラス分類を行うクラス分類手段」に相当する。
　
（ウ）「記憶手段」
　刊行物１発明の「予め学習により獲得された予測係数をクラス毎に格納するメモリメモリ４ａ、４ｂ」は、「予測係数を、前記クラス分類におけるクラス毎に記憶する記憶手段」といえるものである点では、本件補正発明の「記憶手段」と相違しない。
　もっとも、「予測係数」が、本件補正発明のように「垂直方向の前記画素データ間の複数の補間位相毎」のものとはしていない。相違が認められる。
　
（エ）「指定手段」
　刊行物１発明は、本件補正発明でいう「前記記憶手段から読み出す前記予測係数の前記補間位相を指定する指定手段」を備えていない。相違が認められる。
　
（オ）「演算手段」
　刊行物１発明の「補間演算回路３」は、「注目画素の近傍の９画素の値ｘ1〜ｘ9を使用し、クラスに対応するメモリ４ａ、４ｂに格納される予測係数ｗ1〜ｗ9の線形１次結合によって、飛び越された走査線上の補間対象である注目画素の補間値ｙを生成する」ものであるところ、
　上記「注目画素の近傍の９画素の値ｘ1〜ｘ9」は、「抽出手段」により抽出されるものである（上記ウ（ア））から、「前記抽出手段により抽出された前記周辺の画素データ」といえるものであり、
　上記「クラスに対応するメモリ４ａ、４ｂに格納される予測係数ｗ1〜ｗ9」は、「前記クラスに対応する前記記憶手段（上記ウ（ウ））に記憶される予測係数」といえるものであり、
　上記「飛び越された走査線上の補間対象である注目画素の補間値ｙ」は、予測係数により生成するものであるから、「前記注目画素の予測画素データ」といえる。
　よって、刊行物１発明の「補間演算回路３」は、「前記抽出手段により抽出された前記周辺の画素データと、前記クラスに対応する前記記憶手段に記憶される予測係数に基づいて、前記注目画素の予測画素データを演算する演算手段」といえる点では、本件補正発明の「演算手段」と相違しない。
　もっとも、刊行物１発明では、「前記クラスに対応する前記記憶手段に記憶される予測係数」が、本件補正発明のように「前記指定手段により指定された前記補間位相」に対応したものではない。相違が認められる。
　
（カ）「合成手段」
　刊行物１発明の「補間演算回路３により生成された補間値と、入力端子１に供給されたディジタルビデオ信号とを合成するフレームメモリ」は、本件補正発明でいう「前記演算手段により演算された予測画素データと、入力された前記画素データとを合成する合成手段」に相当する。
　
（キ）「走査線変換装置」
　刊行物１発明の「走査線補間装置」は、本件補正発明でいう「走査線変換装置」に相当する。
　
（ク）一致点、相違点
　以上から、本件補正発明と刊行物１発明とは、
［一致点］
「入力された画素データから、垂直方向の予測対象である注目画素の周辺の画素データを抽出する抽出手段と、
　前記抽出手段により抽出された前記周辺の画素データに基づいてクラス分類を行うクラス分類手段と、
  予測係数を、前記クラス分類におけるクラス毎に記憶する記憶手段と、
　前記抽出手段により抽出された前記周辺の画素データと、前記クラスに対応する前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。」
　である点で一致し、次の点で相違する。
　
［相違点］
　本件補正発明では、
　「記憶手段」が記憶する「予測係数」を、「垂直方向の前記画素データ間の複数の補間位相毎」のものとし、
　「前記記憶手段から読み出す前記予測係数の前記補間位相を指定する指定手段」を備えるとし、
　「演算手段」が基づく「予測係数」を、「前記指定手段により指定された前記補間位相」に対応したものとしている
　のに対し、
　刊行物１発明では、そのようにしていない点。
　
エ　判断
　上記相違点について検討する。
　刊行物１では、刊行物１発明の「飛び越し走査において抜けている水平走査線を補間する走査線補間装置」への適用を「例えば」とし（上記イ（ア）ａ）、「走査線補間に限らず、サブサンプリングにより間引かれた画素の値を補間する等、存在しない画素の値を補間する場合に対して適用することができる。」としており（上記イ（ア）ｊ）、走査線数である垂直方向の画素数を２倍以外の数に増加させることへの動機付けが認められるところ、
　一般に、垂直方向の画素数を線形補間により２倍以外の様々な数に増加させようとすること、そのためには補間しようとする画素間毎に異なる補間位相で画素補間を実施しなければならないこと、その具体的手段として、補間しようとする画素間毎に補間位相を指定し、画素補間に用いる予測係数を指定された補間位相に対応したものに切り換えるようにすること、これらはいずれも周知である（例えば、下記キ周知例参照）から、
　刊行物１発明において、走査線数である垂直方向の画素数を２倍以外の数に増加させるために、
　「記憶手段」が記憶する「予測係数」を、「垂直方向の前記画素データ間の複数の補間位相毎」のものとし、
　「前記記憶手段から読み出す前記予測係数の前記補間位相を指定する指定手段」を備えるとし、
　「演算手段」が基づく「予測係数」を、「前記指定手段により指定された前記補間位相」に対応したものとする
　ことは、当業者にとって容易に想到し得たことである。
　
オ　効果等
　以上のとおり、上記相違点に係る本件補正発明の構成は、当業者が容易に想到し得たものであるところ、その作用効果は、上記刊行物１及び周知技術から当業者が予測できる範囲のものである。
　
カ　まとめ（独立特許要件）
　以上によれば、本件補正発明は、上記刊行物１に記載された発明及び周知技術に基づいて当業者が容易に発明をすることができたものであるから、特許法第２９条第２項の規定により、特許出願の際独立して特許を受けることができない。
　したがって、本件補正は、特許法第１７条の２第５項において準用する同法第１２６条第５項の規定に適合しない。
　
キ　周知例
　特開平５−６４１６１号公報
（当該文献が正しくは原査定の拒絶の理由で提示されるべき引用文献２であることは、上記第１ ２のとおりであり、請求人も認めるところである。）
「図７に、垂直方向に４／３倍に拡大する場合の拡大処理前の走査線と拡大処理後の走査線、すなわち補間走査線の重心の位置を示す。この図において、（ａ）は拡大前の走査線、（ｂ）は補間走査線の重心の位置、（ｃ）は補間走査線の作成式である。」（段落【００３０】）
「拡大処理前の走査線（ａ）のうち隣合う上下の走査線により、拡大処理前の映像に対して（ｂ）のような位置に重心を持つ補間走査線を作成し、その補間走査線をもとの走査線の位置に配置していくことにより拡大を実現している。」（段落【００３１】）
「ここで、拡大に用いられる係数は、拡大倍率が４／３倍の場合には１／４、３／４、１／２などＮ／［２ｎ］（但し、［２ｎ］は２のｎ乗を表わし、Ｎは０≦Ｎ≦［２ｎ］である。）で表され、［２ｎ］が走査線間の分割数、つまり、拡大処理前の２ラインによりこの２ラインの間に作成可能な重心の異なる補間走査線の数を示す。本例４／３倍の場合は［２ｎ］＝４であり、従って、拡大前の２ラインにより、この２ラインの間に重心の異なる４種類の補間走査線を作成できる。ここで、拡大倍率をより細かく指定するためには、走査線間の分割数つまり［２ｎ］をより大きくとればよい。」（段落【００３２】）
　
（４）むすび
　以上のとおり、本件補正は、特許法第１７条の２第５項の規定に適合しないものであるから、特許法第１５９条第１項の規定において読み替えて準用する同法第５３条第１項の規定により却下すべきものである。
　
　
第３　本願発明
　平成１７年１０月２４日付けの手続補正は上記のとおり却下する。
　本願の請求項１に係る発明（以下「本願発明」という）は、平成１７年３月４日付け手続補正書により補正された特許請求の範囲の請求項１に記載された事項により特定される、以下のとおりのものである。
「入力された画素データから、予測対象である注目画素の周辺の画素データを抽出する抽出手段と、
　前記抽出手段により抽出された前記周辺の画素データに基づいてクラス分類を行うクラス分類手段と、
  画素データの複数の補間位相の予測係数を、前記クラス分類におけるクラス毎に記憶する記憶手段と、
　前記抽出手段により抽出された前記周辺の画素データと、前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。」
　
　
第４　査定の検討
１　刊行物
　原査定の拒絶の理由に引用された上記刊行物１には、上記第２ ２（３）イ（ア）に記載したとおりの記載がある。
　そして、刊行物１発明として、上記第２ ２（３）イ（イ）に記載したとおりのものを認定することができる。
　
２　対比
　そこで、本願発明と刊行物１発明とを比較すると、本件補正発明と刊行物１発明との対応関係については、上記第２ ２（３）ウ に記載したとおりであるところ、これを援用する。
　
　本願発明と刊行物１発明とは、
［一致点］
「入力された画素データから、予測対象である注目画素の周辺の画素データを抽出する抽出手段と、
　前記抽出手段により抽出された前記周辺の画素データに基づいてクラス分類を行うクラス分類手段と、
  予測係数を、前記クラス分類におけるクラス毎に記憶する記憶手段と、
　前記抽出手段により抽出された前記周辺の画素データと、前記記憶手段に記憶される予測係数に基づいて、前記注目画素の予測画素データを演算する演算手段と、
  前記演算手段により演算された予測画素データと、入力された前記画素データとを合成する合成手段と
　を備えることを特徴とする走査線変換装置。」
　である点で一致し、以下の点で相違する。
　
［相違点］
　本願発明では、「記憶手段」が記憶する「予測係数」を、「画素データの複数の補間位相」のものとするのに対し、刊行物１発明では、そのようにしていない点。
　
３　相違点の判断
　上記相違点について検討するに、上記第２ ２（３）エ で判断したとおりであるから、刊行物１発明においても、「記憶手段」が記憶する「予測係数」を、「画素データの複数の補間位相」のものとするとすることは、当業者が容易に想到し得たことである。
　
４　効果等
　以上のとおり、上記相違点に係る本願発明の構成は、当業者が容易に想到し得たものであるところ、その作用効果は、上記刊行物１及び周知技術から当業者が予測できる範囲のものである。
　
５　まとめ（査定の検討）
　したがって、本願発明は、上記刊行物１に記載された発明及び周知技術に基づいて当業者が容易に発明をすることができたものである。
　
　
第５　むすび
　以上のとおり、本願の請求項１に係る発明は、刊行物１に記載された発明及び周知技術に基づいて当業者が容易に発明をすることができたものであるから、特許法第２９条第２項の規定により特許を受けることができない。
　したがって、本願は、残る請求項２ないし５に係る発明について検討するまでもなく、拒絶をすべきものである。
　よって、結論のとおり審決する。